(57)【要約】【課題】照明の省エネ化対策として急速に普及しているLED照明器具ユニットは、メーカー各社が各市場・用途に最適とした類似の多種のLED照明器具ユニットを開発・生産・販売している。このため、技術進歩の速いLED照明器具ユニットでは短期間に多数種の新製品を開発・販売する必要があり、メーカー側では開発コストが多大となり大きな生産ロットで生産出来ずコストアップとなり、顧客側では選定に迷う状況となっている。【解決手段】回動軸に装着される低Wの同一仕様又は複数仕様のLED照明器具ユニットを開発し、これらを連結・一体化することにより多種の器具光束・光色・配光を持つLED照明装置を簡単に低コストで構成可能とし、メーカーの開発コスト・製品コスト・物流コストを削減するとともに顧客のLED照明器具の選択を容易にする。【選択図】  図１
2015144046.tif 000002
【特許請求の範囲】
【請求項１】
１個以上のLED照明器具ユニットと、該LED照明器具ユニットが装着・固定される回動軸と、該LED照明器具ユニットに給電するLED電源とで構成されるLED照明装置において；
前記LED照明器具ユニットは、LED発光部と器具本体とを備え、
前記器具本体は、
両端解放で連続した断面のアルミ押出又はアルミダイキャストによる成型材であり、
前面にLED発光部の装着部を備え、該装着部の裏面にLED発光部の発生熱を放熱する複数の放熱フインを備える前面薄肉部と、
前記回動軸に回動可能に装着するための回動用軸受部と、
前記放熱フインを通気可能にカバーする放熱フインカバー用薄肉部とを備えており；
前記LED照明器具ユニットの器具本体の回動用軸受部を前記回動軸に装着し該回動軸に対して直接に又は間接的に固定することを特徴とするLED照明装置。
【請求項２】
前記回動軸を複数備えたことを特徴とする請求項１記載のLED照明装置。
【請求項３】
前記LED照明器具ユニットの器具本体にLED電源を外力又は落雷から保護するLED電源保護用薄肉部を備えたことを特徴とする請求項１又は２記載のLED照明装置。
【請求項４】
前記LED照明器具ユニットの器具本体が、回動用軸受部と同心の円柱状又は一部円弧部の無い円柱状であることを特徴とする請求項１、２、又は３記載のLED照明装置。
【請求項５】
請求項１、２、３、又は４記載のLED照明装置に使用されるLED照明器具ユニット。
【発明の詳細な説明】
【技術分野】
【０００１】
本発明は、主として屋内高天井照明用や屋外照明用の光束・光色・配光が多種可能で組立簡単・低コスト・軽量・コンパクトなLED照明装置とこれに使用されるLED照明器具ユニットとに関する。
本発明のLED照明器具ユニットは、照射方向の個別設定が可能に回動軸に装着される光束・光色・配光が複数仕様の低WのLED照明器具ユニットであるが、本発明においては、回動軸への装着手段とLED照明器具ユニットの構造とが対象となる。
本発明のLED照明装置は、前記の同一仕様又は複数仕様の１個以上のLED照明器具ユニットが、回動軸に照射方向を個別に設定して装着・固定されたLED照明装置である。
低W〜中W のLED照明器具ユニットを使用した舞台照明用のLED照明装置とすることも出来る。
【背景技術】
【０００２】
照明の省エネ化対策としてLED照明が急速に拡大しているが、現状はメーカー各社が各市場・用途に最適とした類似の多種のLED照明器具を開発・生産・販売しており、技術進歩の速いLED照明器具では短期間に多くの種類の新製品を開発・販売するため、メーカー側では開発コストが多大となり、顧客側では選択に迷う状況となっている。
これを解決する対策として、連結可能な構造の複数の照明器具を連結一体化したり、同一の照明器具の中で照射方向、光色、配光等を変化させたりすることが提案されているが、前記の状況を基本的に改善するものでは無い。
【先行技術文献】
【特許文献】
【０００３】
【特許文献１】特開2006-114237    照明器具
【特許文献２】実用新案登録        第3162608号
【特許文献３】特開2011-187973    LEDランプ及び照明装置
【特許文献４】特開2012-89453    照明器具
【特許文献５】特開平11-162243    照明装置
【特許文献６】実用新案登録        第3162336号
【発明の概要】
【発明が解決しようとする課題】
【０００４】
本発明は、技術進歩の速いLED照明器具の開発コストを削減するとともに顧客が最適なLED照明器具を簡単に選択可能とするため、回動軸に照射方向の個別設定が可能に装着・固定する低Wの光束・光色・配光が複数仕様のLED照明器具ユニットを開発し、これ等のLED照明器具ユニットを回動軸に装着・固定することにより、主として屋内高天井照明用や屋外照明用の多種の器具光束・光色・配光が可能な組立簡単・低コスト・軽量・コンパクトなLED照明装置を提供することを目的とする。
本発明の低WのLED照明器具ユニットの消費電力は、現在のLEDモジュールの効率、LED照明装置が通常必要とする光束範囲、光束区分、全体コスト等から２０〜６０Wが概略の想定範囲となる。
【課題を解決するための手段】
【０００５】
これらの課題を解決するために成した第一の発明は、
１個以上のLED照明器具ユニットと、該LED照明器具ユニットが装着・固定される回動軸と、該LED照明器具ユニットに給電するLED電源とで構成されるLED照明装置において；
前記LED照明器具ユニットは、LED発光部と器具本体とを備え、
前記器具本体は、
両端解放で連続した断面のアルミ押出又はアルミダイキャストによる成型材であり、
前面にLED発光部の装着部を備え、該装着部の裏面にLED発光部の発生熱を放熱する複数の放熱フインを備える前面薄肉部と、
前記回動軸に回動可能に装着するための回動用軸受部と、
前記放熱フインを通気可能にカバーする放熱フインカバー用薄肉部とを備えており；
前記LED照明器具ユニットの器具本体の回動用軸受部を前記回動軸に装着し、該回動軸に対して直接に又は間接的に固定することを特徴とするLED照明装置である。
【０００６】
本発明のLED照明器具ユニットは、LED発光部と、LED発光部が装着される器具本体とを備える。
前記のLED発光部は、一般的な構成の低WのLED発光部で、光束・光色が複数仕様のLEDモジュールの何れかと、配光が複数仕様の配光制御用レンズ板の何れかと、屋内用又は屋外用の透明カバーと、透明カバーと前面薄肉部との間に装着される防塵用又は防水用パッキンとを備える。配光制御用レンズ板と透明カバーとは、一体化しても良い。
前記の器具本体は、前面薄肉部と、回動用軸受部と、放熱フインカバー用薄肉部とを備えるアルミ押出又はアルミダイキャストによる連続したほぼ同一断面で両端解放の成型材で、通常は一体成型される。
【０００７】
一般のLED照明器具の器具本体は、LED発光部の発生熱を効率よく伝導・放熱するための放熱部材を兼用するためにアルミダイキャストで成型されることが多い。しかし、通常のアルミダイキャストは、形状設計の自由度は高いものの金型費用が高く、小ロット生産が難しく、部品単価も高い欠点がある。
アルミ押出成型の成型材は最大外径と断面形状に制限があるが、金型費用と部品コストが安く、小ロット生産にも対応し易く、押出方向の長さも自由に設定出来る長所がある。回動用軸受部等を下記の様に一体成型し、一体成型材を所定寸法に切断してLED照明器具ユニットの器具本体を低コストで製作する。
アルミダイキャストの成型材は、金型の抜勾配相当分の断面変化があるが、連続したほぼ同一断面の成型材を使用すれば金型費用も比較的安価で成型後の切断加工が不要なので製造ロットによっては部品単価も安価となる。複数の成型材を連接して器具本体を構成すれば、成型材単位の長さ変更が可能で、金型費用も削減される。
【０００８】
器具本体を両端が解放されている連続した断面の成型材とすることにより、放熱フィンを最も放熱効率の良い前面薄肉部の裏面に設置するとともに放熱フィン周辺に十分な冷却用通気路を確保してLEDモジュールの速やかな冷却を行う。両端だけでなく、側面の一部を開放する断面とし側面からの換気を行っても良い。
前記の回動用軸受部は、LED照明器具ユニットを回動軸に回動可能に装着する軸受部である。照射方向を設定した後固定前の自由回動を防止するため、回動軸受部にプランジャーを設けたり、合成ゴム等の弾性体を装着する凹溝を設け合成ゴム等を装着したりしても良い。凹溝は、軸方向であれば成型時に、リング状であれば後加工で設ける。
前記の前面薄肉部は、器具本体の前面側に設けられ、前面にLED発光部を装着する平滑な平面の装着部を持ち、装着部の裏面にLED発光部の発生熱を放熱する複数の放熱フインを設けた薄肉部である。前面薄肉部の平面は、単一の平面でも良いが、複数の平面を備える多面とすれば、LED照明器具ユニットの配光を広げることが出来る。
LED発光部の各構成要素の固定は通常ネジ止めとなるが、屋外用照明器具の場合は、ネジ部にシール材を塗布後ネジ込むより、薄肉部のネジ止め部をネジ穴が非貫通となる肉厚として外部水分のネジ止め部からの侵入を完全に遮断する方が良い。
前記の放熱フインカバー用薄肉部は、放熱フインをカバーして、放熱フインへの塵埃・油煙の付着堆積や鳥糞の堆積等の防止と、冷却用空気の通気路の確保と、飛来物等の外力からの保護とを行う薄肉部で、放熱部ともなる。
また、回動用軸受部と前面薄肉部とが直接連結されていない場合は、回動用軸受部と前面薄肉部とを連結固定する構造材ともなる。
【０００９】
前記のLED照明装置の回動軸は、回動軸受部を持つLED照明器具ユニットを装着・固定する共通軸である。
回動軸の断面は、LED照明器具ユニットの回動中心が変化しなければ、円形に拘らず多角形又は円弧状に形成しても良い。回動軸は、中実軸に拘らずパイプ状としても良い。また、LED照明器具ユニットの照射方向を設定した後固定前の自由回動を防止するため、回動軸に合成ゴム等の弾性体を装着する凹溝を設け、合成ゴム等を装着しても良い。凹溝は、軸方向に連続に設けても、必要箇所にリング状に設けてOリングを装着しても良い。
回動軸の長さは、LED照明器具ユニットの装着数に応じた長さとする。
回動軸は、LED照明装置のブラケット等で回動可能に固定される回動軸とした方が、LED照明装置の全体照射方向の設定もし易く、簡単・堅牢・低コストとなる。
さらに、回動軸又は個々のLED照明器具ユニットを回動する駆動機構を設ければ、舞台照明用の照射方向を随時変化させるLED照明装置となる。駆動機構としては、減速モーター又は減速モーターを使用したリンク機構がある。
【００１０】
LED照明器具ユニットの回動軸への装着・固定は、回動用軸受部を回動軸に個別に固定又は回動軸を一括押圧固定用ボルトに兼用して固定する直接に固定する方法と、全てのLED照明器具ユニットを一括押圧固定用ボルトで軸方向に押圧固定後にLED照明装置のブラケットに固定する等の間接的に固定する方法とがある。
隣接するLED照明器具ユニットは、対向する端部を密接しても、端面間に通気用隙間を設けても良い。
回動軸を両端ネジ切シャフトとし、所定数のLED照明器具ユニットを装着し個別に照射方向を設定後にシャフト端部の締め付けナットでLED照明器具ユニットを一括押圧して固定しても良い。一括押圧して固定する場合は、LED照明器具ユニットの間に通気用空隙を設けるために、回動軸にワッシャーを装着しても良い。
【００１１】
第二の発明は、
前記回動軸を複数備えたことを特徴とする請求項１記載のLED照明装置である。
【００１２】
本発明は、LED照明装置に回動軸を複数設け、選択された回動軸にLED照明器具ユニットを装着・固定することにより、LED照明装置に対するLED照明器具ユニットの光軸の設定可能範囲を拡大するとともにLED照明装置をコンパクト化することを目的とする。
LED照明器具ユニットの光軸の設定可能範囲は、LED照明装置に対する回動軸の位置関係で限定される。従って、１本の回動軸ではLED照明装置に対するLED照明器具ユニットの光軸の設定可能範囲も限定される。また、１本の回動軸に全てのLED照明器具ユニットを装着・固定すれば、LED照明装置が長尺となり支持・固定が問題となることもある。
これ等を解決するために、回動軸をLED照明装置のデザインで指定された位置に、平行に、格子状に、多角形状に、放射状等に設け、LED照明器具ユニットを選択された１本以上の回動軸に装着・固定する。回動軸は、同一平面上にでも、円錐面上にでも配置可能である。
【００１３】
第三の発明は、
前記LED照明器具ユニットの器具本体にLED電源を外力又は落雷から保護するLED電源保護用薄肉部を備えたことを特徴とする第一又は第二の発明のLED照明装置である。
【００１４】
前記LED照明器具ユニットの器具本体にLED電源を装着する場合は、器具本体にLED電源保護用薄肉部を備える。
前記のLED電源保護用薄肉部は、LED電源に飛来物等により外力が直接加わらない様に、屋外照明用器具の場合はさらにLED電源に直接落雷しない様に保護する薄肉部である。
LED電源の固定は、LED電源のケースコーナー部又はケース取り付け用リブに係合する連続溝を、LED電源保護用薄肉部、放熱フインカバー用薄肉部等に成型時に設け、連続溝にLED電源を装着後にLED電源の移動・脱落を防止する固定用部材を連続溝の端部に装着した方が良い。連続溝の形状は、圧入ピン、圧入板、タッピングビス等を固定用部材として装着可能な形状とし、追加加工を不要とする方が良い。
【００１５】
第四の発明は、
前記LED照明器具ユニットの器具本体が、回動用軸受部と同心の円柱状又は一部円弧部の無い円柱状であることを特徴とする第一、第二、又は第三の発明のLED照明装置である。
【００１６】
本発明のLED照明器具ユニットは、照射方向の異なる複数のLED照明器具ユニットを回動軸に装着してもLED照明装置の全体外観に統一感を与えるLED照明器具ユニットである。
前記のLED照明器具ユニットは、外形は規制されていないので、個別に照射方向を設定すれば隣接するLED照明器具ユニットの回動軸に対する装着方向はバラバラになり、LED照明装置の全体外観に統一感を与えることが出来ない。これを解決するため、LED照明器具ユニットの器具本体が、回動用軸受部と同心の円柱状又は一部円弧部の無い円柱状とし、柱状外形のLED照明器具ユニットが整然と設置された全体外観とする。さらに、隣接するLED照明器具ユニットの器具本体の半径を同一とすれば、より整然とした全体外観となる。
【００１７】
第五の発明は、
第一、第二、第三、又は第四の発明のLED照明装置に使用されるLED照明器具ユニットである。
【発明の効果】
【００１８】
第一、第二、第三の発明によれば、多種の器具光束・光色・配光を持つ組立簡単・低コスト・軽量・コンパクトで放熱効率の良いLED照明装置が得られるので、下記の効果がある。
また、装着・固定構造を規格化すれば、メーカー毎の効果だけでなく顧客にとっても選択範囲はさらに拡大される。
１）器具開発コストの削減
標準的な回動軸の軸径を設定し、この軸径に適合する回動用軸受を持つ略同一消費電力で、光束・光色・配光が複数仕様の低WのLED照明器具ユニットを開発すれば、ほとんどの仕様のLED照明装置を提供できるので、屋外・屋内、消費電力、光束、光色、配光等が異なる多種多様なLED照明器具の開発が不要又は簡略化される。これにより新製品開発のための設計・試作・試験・品質確認等の各種の開発コストが、大幅削減される。
ａ）装着・固定構造を同一とすることによる構造部品開発コストの削減  
ｂ）消費電力を略同一にすることによる電源部開発コストの削減
ｃ）ａ）及びｂ）によるLED発光部開発コストの削減
２）製造間接コストの削減
LED照明器具ユニットの基本形状が同一なので必要な金型・設備・治工具が集約・削減され、これらに必要な購入費用・管理コストが削減される。また、購入部材の種類が
削減され、これらに必要な購入・在庫等の管理コストが削減される。
３) 金型費用の削減
高価なアルミダイキャスト金型が安価なアルミ押出金型又は安価なアルミダイキャスト金型となり、新規の金型コストが大幅に削減され、仕様変更も容易となる。
アルミ押出の場合、切断長さの変更が容易なのでLED照明器具ユニットの設計変更も容易となる。
アルミダイキャストの場合、複数の単位長さの成型材を連接・一体化して器具本体を構成すれば、LED照明器具ユニットの設計変更も容易となり、金型費用も削減される。
４）製造直接コストの削減
LED照明器具ユニットの製品・購入部材の種類が集約・削減され、量産効果により部材コスト・製造コストが削減される。また、LEDモジュールの発生熱が器具本体の内外表面の放熱用フインから速やかに放熱されることにより、LED照明器具ユニットが軽量・コンパクト化されて部材コストが削減される。
また、安価な一体成型材となり、一体成型により装着部位等の追加加工が削減出来るので、部材コストが削減される。
５）製品在庫・物流コストの削減と納期短縮
LED照明器具ユニットの種類が集約・削減され、基本製品を組み合わせて出荷すればよくなるので、製品在庫・物流コストの削減となり、納期短縮も図れる。
６）照明設計の最適化と効率化
照明対象場所に最適なLED照明器具ユニットを簡単に選択・組合せ出来、個別のLED照明器具ユニットの照射方向も変化させることが可能なLED照明装置を使用出来るので、従来の均一照明に拘らない多様性のある最適で効率的な照明が可能となる。
７）照明設備施工費の削減
多種類のLED照明装置の使用・設置が簡単に出来るので、LED照明装置の設置個所及び設置数の集約・削減が可能となる。これにより、屋外照明用ポール等の削減、装置設置個所数の削減等が可能となり施工費が削減される。
８）施工後の照明設計の変更が容易
装着するLED照明器具ユニットの変更・交換・増減が個別に簡単に出来るので、施工後でも照明設計の変更が容易となる。
９）照明装置のメンテが簡単・低コスト
故障したLED照明器具ユニットのみの交換が簡単に出来るので、LED照明装置の全体交換が不要となりメンテコストが削減される。
また、放熱フイン・LED電源が適切に保護されているので、メンテの必要性も低下し、メンテコストが削減される。
１０) LED照明器具ユニットの性能向上
LEDモジュールが速やかに冷却されるので、発光効率・寿命が改善される。
１１）メーカー間互換性の向上
回動軸を規格化すれば、メーカー間でその他の仕様が異なっても顧客は最適なLED照明器具ユニットを選択・組み合わせることが出来る。
【００１９】
第四の発明によれば、照射方向の異なる複数のLED照明器具ユニットに対しても、LED照明装置の全体外観に統一感を与えることが出来る。
【図面の簡単な説明】
【００２０】
【図１】実施例１の説明図（ａ）図は正面図、（ｂ）図は側面図。
【図２】実施例２の説明図（ａ）図は平面図、（ｂ）図は側面図。
【図３】実施例３の説明図( 平面図) 。
【図４】実施例４の説明図（ａ）図は平面図、（ｂ）図は側面図。
【図５】実施例５の説明図（ａ）図は平面図、（ｂ）図は側面図。
【発明を実施するための形態】
【実施例１】
【００２１】
放熱部とLED電源とを備えた第四の発明のLED照明装置のLED照明器具ユニットの実施例である。
【００２２】
1)    
LED照明器具ユニットの構成
（図1参照）
LED照明器具ユニット1は、LED発光部20と、照明器具本体10と、LED電源30と、接続配線材とを備える。接続配線材は、簡略化のため図１に表示されていない。
a)    照明器具本体10は、LED電源保護用薄肉部10aと、放熱フインカバー用薄肉部10b、10h,10jと、回動用軸受部10c と、LED電源装着用溝部10dと、回動防止用合成ゴム11が装着されるゴム装着溝10eと、前面薄肉部10fと、放熱フィン10gと、ネジ止め部10iとを備えるアルミ押出成型材の定寸切断品である。
本実施例では、放熱フインカバー用薄肉部は、上面薄肉部10bと連結用薄肉部10hと側面薄肉部10jとで構成される。上面薄肉部10b と側面薄肉部10jとの間には、換気用スリット10kが設けられている。
LED電源保護用薄肉部10aは、照明器具本体10の背面側に設けられた薄肉部で、回動用軸受部10cと同心の円弧状に形成されている。
放熱フインカバー用薄肉部の上面薄肉部10bは、回動軸受部10cに連結固定され、LED電源保護用薄肉部10aを支持する。
回動用軸受部10cは、照明器具本体10の中心に設けられ、回動防止用合成ゴム11を装着するゴム装着溝10eを備える回動軸に装着される軸受部である。
LED電源装着用溝部10dは、放熱フインカバー用薄肉部の上面薄肉部10bに2カ所設けられ、LED電源30の取付用リブ30aを装着するとともに両端部に圧入ピン31又は6角穴付き止めネジ32とを装着しLED電源30を固定する。6角穴付き止めネジ32は、LED電源30の交換時に着脱する。
前面薄肉部10fは、照明器具本体10の前面側に設けられた薄肉部で、前面にLED発光部20が装着され、背面に複数の放熱フィン10gと放熱フインカバー用薄肉部の連結用薄肉部10hと側面薄肉部10jとが設けられる。
放熱フィン10gは、LED発光部20で発生し前面薄肉部10fの裏面に伝導された熱を輻射・対流により放熱する。
放熱フインカバー用薄肉部の連結用薄肉部10hは、前面薄肉部10fと回動軸受部10cとを連結固定する薄肉部で、放熱フィンを兼ねる。
ネジ止め部10iは、前面薄肉部10hの裏面に設けられ、ネジ穴が貫通されない様にするための肉厚部である。
放熱フインカバー用薄肉部の側面薄肉部10jは、前面薄肉部10fの端部より立ち上がる円弧状の放熱フィンを兼ねる側面薄肉部である。
回動防止用合成ゴム11は、LED照明器具ユニット１を回動軸に照射方向を設定して装着した後固定される迄に、LED照明器具ユニット１が回動することを防止する。
器具本体を、アルミ押出材とせず、アルミダイキャスト材としても良い。さらに、単位幅のアルミダイキャスト材の所定数を連接・一体化して器具本体としても良い。連接・一体化する場合は、LED電源装着用溝部10dに圧入された圧入ピン31で連結する方法が簡便である。
【００２３】
b)    LED発光部20は、LED発光モジュール21と、配光制御用レンズ板22と、グローブ23と、防塵パッキン24とを備える。
LED発光モジュール21は、LEDをモジュール化した基板で前面薄肉部10fの前面の平滑な面にネジ止めされる。LED発光モジュール21で発生した熱は、主として放熱フィン10gで放熱されるが、LED電源保護用薄肉部10aと放熱フインカバー用薄肉部の上面薄肉部10bと連結用薄肉部10hと側面薄肉部10jとでも放熱される。
配光制御用レンズ板22は、LED発光モジュール21と位置合わせしてLED発光モジュール21と同様に前面薄肉部10fの前面にネジ止めされる。
グローブ23は, LED発光モジュール21と配光制御用レンズ板22とを保護する透明カバーである。配光制御用レンズ板22と一体化しても良い。屋内用器具の場合は防塵パッキン24を装着後に、LED発光モジュール21と同様に前面薄肉部10fのネジ止め部10iにネジ止めされる。屋外用器具の場合は防水パッキンを装着する。ねじ止め箇所をパッキンの外部に設ければネジ止め箇所を貫通穴としボルト止めとすることも出来る。
c)    
LED電源30は、LED電源装着用溝部10dに取付用リブ30aを装着して固定され、LED電源保護用薄肉部10aと放熱フインカバー用薄肉部の上面薄肉部10bで構成された空間に収納される。屋外用器具の場合は防水構造とする。放熱フィン10gの輻射熱と対流熱とは、放熱フインカバー用薄肉部の上面薄肉部10bで遮蔽される。LED電源装着用ベース板に取付用リブ30aを固定しこのベース板をLED電源装着用溝部10dに装着し固定しても良い。この方法によれば、LED電源30の外形寸法の制約は緩和され複数タイプのLED電源30の採用が容易となる。
d)    接続配線材は、図1には表示されていないが放熱フインカバー用薄肉部の上面薄肉部10bと前面薄肉部10f とを貫通してLED発光モジュール20とLED電源30とを接続する配線材である。屋外用LED照明器具ユニットの場合は、前面薄肉部10fの貫通部を防水する。
2）LED照明器具ユニットの使用方法
LED照明器具ユニット1は、実施例２〜５に記載される様に複数ユニットを連結・一体化したLED照明装置として使用されるが、単体としても同様に使用可能である。
【実施例２】
【００２４】
第四の発明のLED照明装置の実施例として、LED照明器具ユニット１を２列並置した屋内用のLED照明装置Aを記載する。
1)   
LED照明装置Aの構成（図2参照）
LED照明装置A100は、８個のLED照明器具ユニット1と、連結支持板２と、８個のワッシャ３と、２本の回動軸４とを備える。
LED照明装置A100は、連結支持板2の両面に各４個のLED照明器具ユニット1と各４個のワッシャ３とを回動軸４で押圧・連結一体化した並列設置タイプのLED照明装置である。
ワッシャ３は、連結支持板2とLED照明器具ユニット1との間、及び、LED照明器具ユニット1同士の間に通気用の空隙を設けるために回動軸４に装着される。
LED照明装置A100は、複数の器具長の異なるLED照明器具ユニット1が連結可能である。
2）使用方法
LED照明装置A100を天井に吊下支持又は固定する場合は、全体照射方向が鉛直下方となる様に連結支持板2で吊下支持又は固定する。LED照明器具ユニット1の照射方向は個別に設定する。図2はその一例で星印のLED照明器具ユニット1は鉛直下方にその他のLED照明器具ユニット1は矢印方向に照射して必要な照度分布を確保する。
LED照明装置A 100を壁面等に固定し投光照明をする場合は、全体照射方向が所定方向となる様に連結支持板2で固定し、個別にLED照明器具ユニット1の照射方向を設定する。
ワッシャ３を使用せず、LED電源保護用薄肉部10aと上面薄肉部10bと前面薄肉部10f とに通気用の小さい穴又は切り欠き部を設けても良い。
【実施例３】
【００２５】
第四の発明のLED照明装置の実施例として、LED照明器具ユニット１を放射状に配置した屋内用のLED照明装置Bを記載する。
1)   
LED照明装置Bの構成（図3参照）
LED照明装置B200は、８個のLED照明器具ユニット1と、箱型連結支持板５と、８個のワッシャ３と、4 本の回動軸４とを備える。
LED照明装置B200は、箱型連結支持板５の各側面に各２個のLED照明器具ユニット1と各２個のワッシャ３とを回動軸４で押圧・連結一体化したLED照明装置である。箱型連結支持板５は、４角形以外の多角形でも良い。
2）使用方法
LED照明装置B200を天井に吊下支持又は固定する場合は、全体照射方向が鉛直下方となる様に箱型連結支持板５で吊下支持又は固定する。LED照明器具ユニット1の照射方向は個別に設定する。図3はその一例で矢印方向に照射して必要な照度分布を確保する。本実施例は、実施例１に比較してより広範囲を照明出来る。箱型連結支持板５の側面を台形状にすれば、回動軸４に仰角を持たせることも出来る。
LED照明装置B200を壁面等に固定し投光照明をする場合は、全体照射方向が所定方向となる様に箱型連結支持板５で固定し、個別にLED照明器具ユニット1の照射方向を設定する。
実施例2と同様に、ワッシャ３を使用せず、LED電源保護用薄肉部10aと上面薄肉部10bと前面薄肉部10f とに通気用の小さい穴又は切り欠き部を設けても良い。
【実施例４】
【００２６】
第四の発明のLED照明装置の実施例として、LED照明装置の回動軸４が水平になる様に照明用ポールに設置した屋外用のLED照明装置Cを記載する。
1）LED照明装置Cの構成（図4参照）
LED照明装置C300は、2個のLED照明器具ユニット1と、2個のカバー７と、回動軸４と、共通固定ボルト６と、水平取付ブラケット81とを備える。
ワッシャ３を使用しない本実施例では、上面薄肉部10bと前面薄肉部10f とに通気用の小さい穴又は切り欠き部を設けた方が良い。
LED照明装置C300は、LED照明器具ユニット1とカバー７とを、水平取付ブラケット81のアーム81aの両側に、回動軸４と共通固定ボルト６とで連結・固定した屋外用のLED照明装置である。
LED照明装置C300は、水平取付ブラケット81のキャップ部81bを照明用ポール９の頭部に装着・固定して設置する。
a)    LED照明器具ユニット1は、防水パッキン24とLED電源30とが屋外仕様のLED照明器具ユニットである。
b)   
共通固定ボルト６は、カバー７と、LED照明器具ユニット1と、水平取付ブラケット81のアーム81aとを貫通して、これ等を押圧固定する両端部がネジ切されたボルトである。
c)    
カバー７は、照明器具本体10の端面を覆う様に装着されるキャップ状のカバーで、LED電源30への直接落雷を防止する。また、側面下部に通気口7aを設けて、放熱フィン10g周辺の通気を確保する。器具外観を整えるために、照明器具本体10と一体化されたイメージの形状とし、回動軸４と共通固定ボルト６の押圧固定用袋ナットが外観上外部に突出しない様にする。
d)   
水平取付ブラケット81は、アーム81aとキャップ部81bとを備える。
アーム81aは、回動軸４と共通固定ボルト６のための貫通穴が設けられ、LED照明器具ユニット1とカバー７とが押圧固定される平板である。
キャップ部81bは、照明用ポール９の頭部に装着・固定される筒状部材である。
e)    照明用ポール９は、鋼管製の独立柱で内部に電源線が収納される
f)    
回動軸４と共通固定ボルト６とは、ステンレス製とした方が良い。
2)   
使用方法
本実施例は、図4に示す照明用ポール９の半径方向に広範囲に照明する場合に使用される。また、照明用ポール９をハイポールとし、水平取付ブラケット81のアーム81aを放射状に配置すれば、照明用ポール９を中心とした円形の広範囲を照明出来る。
【実施例５】
【００２７】
第四の発明のLED照明装置の実施例として、LED照明装置の回動軸４に仰角を持たせて照明用ポールに設置した屋外用のLED照明装置Dを記載する。
1）LED照明装置Dの構成（図5参照）
LED照明装置D400は、４個のLED照明器具ユニット1と、カバー７と、回動軸４と、共通固定ボルト６と、仰角取付ブラケット82とを備える。
ワッシャ３を使用しない本実施例では、上面薄肉部10bと前面薄肉部10f とに通気用の小さい穴又は切り欠き部を設けた方が良い。
LED照明装置D400は、照明用ポール９の頭部に設置する仰角取付ブラケット82にLED照明器具ユニット1とカバー７とを回動軸４と共通固定ボルト６とで連結・固定した屋外用のLED照明装置Dである。
LED照明装置D400は、仰角取付ブラケット82のキャップ部82bを照明用ポール９の頭部に装着・固定して設置する。
a)    LED照明器具ユニット1と、回動軸4 と、共通固定ボルト６と、カバー７と、照明用ポール９とは、実施例4と同様である。
b)    仰角取付ブラケット82は、アーム82aとキャップ部82bとLED照明器具ユニット装着板82cを備える。仰角取付ブラケット82が回動軸４に仰角を持たせる以外は実施例4と同様である。
2)   
使用方法
本実施例は、図5に示す照明用ポール９の直交方向に広範囲に照明する場合に使用される。また、照明用ポール９をハイポールとし、ブラケット82を放射状ブラケットにすれば、実施例4と同様に照明用ポール９を中心とした円形の広範囲を照明出来る。
また、ブラケットを変更すれば、実施例４のLED照明装置Cと実施例５のLED照明装置Dとを複数組み合わせて使用することも出来る。
【符号の説明】
【００２８】
１      LED照明器具ユニット
２      連結支持板
３      ワッシャ
４      回動軸
５      箱型連結支持板
６      共通固定ボルト
７      カバー
7a      カバーの通気口
81      水平取付ブラケット
81a     水平取付ブラケットのアーム
81b     水平取付ブラケットのキャップ
82      仰角取付ブラケット
82a    
仰角取付ブラケットのアーム
82b  
仰角取付ブラケットのキャップ
82c     仰角取付ブラケットのLED照明器具ユニット装着板
９      照明用ポール
10      照明器具本体
10a     LED電源保護用薄肉部
10b     放熱フインカバー用薄肉部の上面薄肉部
10c     回動用軸受部
10d     LED電源装着用溝部
10e     ゴム装着溝
10f     前面薄肉部
10g     放熱フィン
10h     放熱フインカバー用薄肉部の連結用薄肉部
10i     照明器具本体のネジ止め部
10j     放熱フインカバー用薄肉部の側面薄肉部
10k     換気用スリット
20      LED発光部
21      LED発光モジュール
22      配光制御用レンズ板
23      グローブ
24      防塵用ガスケット又は防水ガスケット
30      LED電源
30a    
LED電源の取付用リブ
31      圧入ピン
32      6角穴付き止めネジ
100    LED照明装置A
200    LED照明装置B
300    LED照明装置C
400    LED照明装置D
【図１】
2015144046.tif 000003
【図２】
2015144046.tif 000004
【図３】
2015144046.tif 000005
【図４】
2015144046.tif 000006
【図５】
2015144046.tif 000007